(57)【要約】【課題】リフレクタ及び回転体（カラーホイール）を組み合わせる場合に、発光光を効率よく取り出すことを可能とする光源装置及び投写型映像表示装置を提供する。【解決手段】投写型映像表示装置１００は、光源１０Ｂと、カラーホイール２０と、リフレクタ３０とを備える。カラーホイール２０は、リフレクタ３０の側面視において、リフレクタ３０の頂点から所定取出し方向に沿って回転面２０Ａが設けられるように配置される。光源１０Ｂは、リフレクタ３０の側面視において、所定取出し方向に直交する方向からリフレクタ３０の焦点位置に励起光を照射する。リフレクタ３０は、カラーホイール２０を通す回転体用切り欠き３１と、励起光を通す励起光用切り欠き３２とを有する。【選択図】図１
2012220932.tif 000002
【特許請求の範囲】
【請求項１】
励起光を出射する光源と、回転軸を中心として回転する円盤形状の回転体と、放物面形状を有する反射面を有するリフレクタとを備える光源装置であって、
前記回転体は、前記励起光に応じて発光光を発光する発光体が設けられた回転面を有しており、
前記反射面は、前記リフレクタの焦点位置で前記発光体が発光する前記発光光を所定取出し方向に反射し、
前記回転体は、前記リフレクタの焦点位置を通るように配置されており、
前記光源は、前記リフレクタの側面視において、前記所定取出し方向に直交する方向から前記リフレクタの焦点位置に前記励起光を照射し、
前記リフレクタは、前記回転体を通す回転体用切り欠きと、前記光源から出射された前記励起光を通す励起光用切り欠きとを有することを特徴とする光源装置。
【請求項２】
前記光源は、前記リフレクタの側面視において、前記所定取出し方向に直交する方向の一方から前記リフレクタの焦点位置に前記励起光を照射する第１光源と、前記所定取出し方向に直交する方向の他方から前記リフレクタの焦点位置に前記励起光を照射する第２光源とを有することを特徴とする請求項１に記載の光源装置。
【請求項３】
前記回転面には、前記励起光を透過する透過領域が設けられており、
前記リフレクタは、前記透過領域を透過する前記励起光を通す切り欠きを有することを特徴とする請求項１に記載の光源装置。
【請求項４】
第１偏光成分を有する光を透過して、第２偏光成分を有する光を反射するＰＢＳミラーをさらに備え、
前記ＰＢＳミラーは、前記励起光の光路上において、前記光源と前記リフレクタとの間に設けられており、
前記光源は、前記励起光として、前記第１偏光成分の光を出射し、
前記回転面には、前記励起光を反射する反射領域が設けられており、
前記励起光の光路上において、前記ＰＢＳミラーと前記リフレクタとの間に、１／４λ板が設けられることを特徴とする請求項１に記載の光源装置。
【請求項５】
第１偏光成分を有する光を透過して、第２偏光成分を有する光を反射するＰＢＳミラーをさらに備え、
前記ＰＢＳミラーは、前記第１光源から出射される前記励起光の光路上において、前記第１光源と前記リフレクタとの間に設けられた第１ＰＢＳミラーと、前記第２光源から出射される前記励起光の光路上において、前記第２光源と前記リフレクタとの間に設けられた第２ＰＢＳミラーとを有し、
前記第１光源及び前記第２光源は、前記励起光として、前記第１偏光成分の光を出射し、
前記回転面には、前記励起光を透過する透過領域が設けられており、
前記励起光の光路上において、前記第１ＰＢＳミラーと前記第２ＰＢＳミラーとの間に、１／２λ板が設けられることを特徴とする請求項１に記載の光源装置。
【請求項６】
請求項１に記載の光源装置と、
前記光源装置から出射される光を変調する光変調素子と、
前記光変調素子によって変調される光を投写する投写ユニットとを備えることを特徴とする投写型映像表示装置。
【発明の詳細な説明】
【技術分野】
【０００１】
本発明は、励起光を出射する光源と、回転軸を中心として回転する円盤形状の回転体と、放物面形状を有する反射面を有するリフレクタとを備える光源装置及び投写型映像表示装置に関する。
【背景技術】
【０００２】
従来、光源と、光源から出射された光を変調する光変調素子と、光変調素子によって変調された光を投写面上に投写する投写ユニットとを有する投写型映像表示装置が知られている。
【０００３】
ここで、光源から出射される光を励起光として、赤成分光、緑成分光、青成分光などの基準映像光（以下、発光光）発光する発光体を有する投写型映像表示装置が提案されている（例えば、特許文献１）。具体的には、各色成分光を発光する複数種類の発光体がカラーホイールに設けられており、カラーホイールの回転によって、各色成分光が時分割で出射される。なお、光源から出射される光の利用効率を高めるために、光源から出射される光は、発光体のみに照射されることが好ましい。
【先行技術文献】
【特許文献】
【０００４】
【特許文献１】特開２００９−２７７５１６号公報
【発明の概要】
【発明が解決しようとする課題】
【０００５】
ところで、発光体が発光する発光光を効率的に取り出すために、放物反射面を有するリフレクタを利用するケースが考えられる。具体的には、リフレクタの焦点位置に発光体を配置することによって、励起光が発光体に集まるようにリフレクタによって励起光が反射され、リフレクタによって発光光が反射される。一般的には、発光光の出射方向は、励起光の入射方向と同じである。
【０００６】
放物反射面を有するリフレクタを利用するケースにおいて、上述したカラーホイールを適用しようとすると、カラーホイールのホイール面が励起光の入射方向に対して垂直に設ける必要がある。
【０００７】
このようなケースでは、カラーホイールよりもリフレクタの頂点側に回り込んだ光（励起光や発光光）の進路がカラーホイールによって妨げられてしまう。すなわち、発光光を十分に効率よく取り出すことができなかった。
【０００８】
そこで、本発明は、上述した課題を解決するためになされたものであり、リフレクタ及び回転体（カラーホイール）を組み合わせる場合に、発光光を効率よく取り出すことを可能とする光源装置及び投写型映像表示装置を提供することを目的とする。
【課題を解決するための手段】
【０００９】
第１の特徴に係る光源装置は、励起光を出射する光源（光源１０Ｂ）と、回転軸を中心として回転する円盤形状の回転体（例えば、カラーホイール２０）と、放物面形状を有する反射面を有するリフレクタ（リフレクタ３０）とを備える。前記回転体は、前記励起光に応じて発光光を発光する発光体（例えば、発光体Ｇ）が設けられた回転面（例えば、回転面２０Ａ）を有する。前記反射面は、前記リフレクタの焦点位置で前記発光体が発光する前記発光光を所定取出し方向に反射する。前記回転体は、前記リフレクタの焦点位置を通るように配置される。前記光源は、前記リフレクタの側面視において、前記所定取出し方向に直交する方向から前記リフレクタの焦点位置に前記励起光を照射する。前記リフレクタは、前記回転体を通す回転体用切り欠き（回転体用切り欠き３１）と、前記光源から出射された前記励起光を通す励起光用切り欠き（励起光用切り欠き３２）とを有する。
【００１０】
第１の特等において、前記光源は、前記リフレクタの側面視において、前記所定取出し方向に直交する方向の一方から前記リフレクタの焦点位置に前記励起光を照射する第１光源と、前記所定取出し方向に直交する方向の他方から前記リフレクタの焦点位置に前記励起光を照射する第２光源とを有する。
【００１１】
第１の特徴において、前記回転面には、前記励起光を透過する透過領域が設けられる。前記リフレクタは、前記透過領域を透過する前記励起光を通す切り欠きを有する。
【００１２】
第１の特徴において、光源装置は、第１偏光成分を有する光を透過して、第２偏光成分を有する光を反射するＰＢＳミラーをさらに備える。前記ＰＢＳミラーは、前記励起光の光路上において、前記光源と前記リフレクタとの間に設けられる。前記光源は、前記励起光として、前記第１偏光成分の光を出射する。前記回転面には、前記励起光を反射する反射領域が設けられる。前記励起光の光路上において、前記ＰＢＳミラーと前記リフレクタとの間に、１／４λ板が設けられる。
【００１３】
第１の特徴において、光源装置は、第１偏光成分を有する光を透過して、第２偏光成分を有する光を反射するＰＢＳミラーをさらに備える。前記ＰＢＳミラーは、前記第１光源から出射される前記励起光の光路上において、前記第１光源と前記リフレクタとの間に設けられた第１ＰＢＳミラーと、前記第２光源から出射される前記励起光の光路上において、前記第２光源と前記リフレクタとの間に設けられた第２ＰＢＳミラーとを有する。前記第１光源及び前記第２光源は、前記励起光として、前記第１偏光成分の光を出射する。前記回転面には、前記励起光を透過する透過領域が設けられる。前記励起光の光路上において、前記第１ＰＢＳミラーと前記第２ＰＢＳミラーとの間に、１／２λ板が設けられる。
【００１４】
第２の特徴に係る投写型映像表示装置は、第１の特徴に係る光源装置と、前記光源装置から出射される光を変調する光変調素子と、前記光変調素子によって変調される光を投写する投写ユニットとを備える。
【発明の効果】
【００１５】
本発明によれば、リフレクタ及び回転体（カラーホイール）を組み合わせる場合に、発光光を効率よく取り出すことを可能とする光源装置及び投写型映像表示装置を提供することができる。
【図面の簡単な説明】
【００１６】
【図１】図１は、第１実施形態に係る投写型映像表示装置１００を示す図である。
【図２】図２は、第１実施形態に係るカラーホイール２０を示す図である。
【図３】図３は、第１実施形態に係るカラーホイール２０を示す図である。
【図４】図４は、第１実施形態に係るカラーホイール２０を示す図である。
【図５】図５は、第１実施形態に係るカラーホイール２０を示す図である。
【図６】図６は、変更例１に係る投写型映像表示装置１００を示す図である。
【図７】図７は、変更例１に係るカラーホイール１２０を示す図である。
【図８】図８は、変更例２に係る投写型映像表示装置１００を示す図である。
【図９】図９は、変更例３に係る投写型映像表示装置１００を示す図である。
【図１０】図１０は、変更例３に係るカラーホイール３２０を示す図である。
【発明を実施するための形態】
【００１７】
以下において、本発明の実施形態に係る光源装置及び投写型映像表示装置について、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
実施形態に係る光源装置は、励起光を出射する光源と、回転軸を中心として回転する円盤形状の回転体と、放物面形状を有する反射面を有するリフレクタとを備える。回転体は、励起光に応じて発光光を発光する発光体が設けられた回転面を有する。反射面は、リフレクタの焦点位置で発光体が発光する発光光を所定取出し方向に反射する。回転体は、リフレクタの焦点位置を通るように配置される。光源は、リフレクタの側面視において、所定取出し方向に直交する方向からリフレクタの焦点位置に励起光を照射する。リフレクタは、回転体を通す回転体用切り欠きと、光源から出射された励起光を通す励起光用切り欠きとを有する。
【００２０】
実施形態では、回転体は、リフレクタの側面視において、リフレクタの頂点から所定取出し方向に沿って回転面が設けられるように配置される。また、光源は、リフレクタの側面視において、所定取出し方向に直交する方向からリフレクタの焦点位置に励起光を照射する。
【００２１】
このように、回転面がリフレクタの頂点から所定取出し方向に沿って設けられるため、回転面よりもリフレクタの頂点側に光（励起光や発光光）が回り込むことがない。従って、リフレクタ及び回転体（カラーホイール）を組み合わせる場合に、発光光を効率よく取り出すことができる。
【００２２】
［第１実施形態］
（投写型映像表示装置）
以下において、第１実施形態に係る投写型映像表示装置について、図面を参照しながら説明する。図１は、第１実施形態に係る投写型映像表示装置１００を示す図である。なお、第１実施形態では、基準映像光として、赤成分光Ｒ、緑成分光Ｇ及び青成分光Ｂを用いるケースについて例示する。
【００２３】
図１に示すように、投写型映像表示装置１００は、光源１０Ｂと、光源１０Ｒと、カラーホイール２０と、リフレクタ３０と、ミラー４０と、ミラー５０と、ミラー６０と、ロッドインテグレータ７０と、折り返しミラー８０と、ＤＭＤ９０と、投写ユニット１１０とを有する。
【００２４】
光源１０Ｂは、励起光を出射する。第１実施形態では、光源１０Ｂは、青成分光Ｂを出射する。なお、青成分光Ｂは、基準映像光として用いられるとともに、緑成分光Ｇの励起光としても用いられる。光源１０Ｂは、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。
【００２５】
光源１０Ｒは、基準映像光として赤成分光Ｒを出射する。光源１０Ｒは、例えば、LＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。
【００２６】
カラーホイール２０は、励起光（青成分光Ｂ）の光軸に沿って延びる回転軸Ｘを中心として回転するように構成される。カラーホイール２０は、ガラス板などの透明部材によって構成される円盤形状の回転面２０Ａを有する。また、カラーホイール２０は、リフレクタ３０の焦点位置を通るように配置される。
【００２７】
第１実施形態では、カラーホイール２０は、青成分光Ｂを光源１０Ｂの反対側に出射する透過型回転体の一例である。
【００２８】
具体的には、図２に示すように、回転面２０Ａは、緑領域膜２１Ｇと、青領域２１Ｂとを有する。なお、図２は、カラーホイール２０を正面から見た図である。
【００２９】
緑領域膜２１Ｇは、光源１０Ｂから出射される励起光（青成分光Ｂ）に応じて緑成分光Ｇ（発光光）を発光する発光体Ｇを有する。発光体Ｇは、蛍光体或いは燐光体である。
【００３０】
緑領域膜２１Ｇは、回転軸Ｘを中心とする円環領域のうち、所定の中心角度θＧを有する領域である。なお、緑領域膜２１Ｇは、カラーホイール２０の回転中において、励起光（青成分光Ｂ）が照射されるべき領域であることは勿論である。また、緑領域膜２１Ｇは、カラーホイール２０の回転中において、後述するリフレクタ３０の焦点位置を通るべき領域である。
【００３１】
ここで、緑領域膜２１Ｇは、図３に示すように、例えば、光源１０Ｂに近いホイール面に設けられてもよい。或いは、緑領域膜２１Ｇは、図４に示すように、例えば、光源１０Ｂから遠いホイール面に設けられてもよい。或いは、緑領域膜２１Ｇは、図５に示すように、例えば、光源１０Ｂに近いホイール面及び光源１０Ｂから遠いホイール面の双方に設けられてもよい。
【００３２】
青領域２１Ｂは、青成分光Ｂを透過する透明領域である。また、青領域２１Ｂは、回転軸Ｘを中心として所定の中心角θＢを有する扇形状の領域である。
【００３３】
このように、カラーホイール２０の回転に伴って、緑成分光Ｇ及び青成分光Ｂが時分割で出射される。
【００３４】
図１に戻って、リフレクタ３０は、放物面形状を有する反射面３０Ａを有する。反射面は、リフレクタ３０の焦点位置で発光体（発光体Ｇ）が発光する発光光（緑成分光Ｇ）を所定取り出し方向Ｙに反射する。なお、所定取り出し方向Ｙは、図１に示すように、回転軸Ｘと略直交する。
【００３５】
詳細には、リフレクタ３０は、回転体用切り欠き３１と、励起光用切り欠き３２（励起光用切り欠き３２Ａ及び励起光用切り欠き３２Ｂ）を有する。
【００３６】
回転体用切り欠き３１は、カラーホイール２０を通す切り欠きである。詳細には、回転体用切り欠き３１は、リフレクタ３０の頂点から所定取り出し方向Ｙに沿って回転面２０Ａが設けられるようにカラーホイール２０を配置するための切り欠きである。
【００３７】
励起光用切り欠き３２は、光源１０Ｂから出射される励起光（青成分光Ｂ）を通すための切り欠きである。詳細には、励起光用切り欠き３２Ａは、リフレクタ３０の側面視において、所定取り出し方向Ｙに直交する方向（回転軸Ｘの延長線方向）からリフレクタ３０の焦点位置に励起光（青成分光Ｂ）が照射するされるように、励起光（青成分光Ｂ）を通すための切り欠きである。励起光用切り欠き３２Ｂは、カラーホイール２０の青領域２１Ｂを透過する青成分光Ｂ（励起光）を通すための切り欠きである。
【００３８】
ミラー４０は、カラーホイール２０の青領域２１Ｂを透過する青成分光Ｂ（励起光）を反射する。
【００３９】
ミラー５０は、リフレクタ３０で反射された発光光（緑成分光Ｇ）を反射して、光源１０Ｒから出射された赤成分光Ｒを透過するダイクロイックミラーである。
【００４０】
ミラー６０は、ミラー４０で反射された青成分光Ｂ（励起光）を反射して、ミラー５０で合成された緑成分光Ｇ及び赤成分光Ｒを透過するダイクロイックミラーである。
【００４１】
ロッドインテグレータ７０は、ガラスなどの透明部材によって構成される中実のロッドである。ロッドインテグレータ７０は、ロッドインテグレータ７０に入射する光を均一化する。なお、ロッドインテグレータ７０は、内壁がミラー面によって構成される中空のロッドであってもよい。
【００４２】
折り返しミラー８０は、ロッドインテグレータ７０から出射される光をＤＭＤ９０側に反射する。
【００４３】
ＤＭＤ９０は、複数の微小ミラーによって構成されており、複数の微小ミラーは可動式である。各微小ミラーは、基本的に１画素に相当する。ＤＭＤ９０は、各微小ミラーの角度を変更することによって、投写ユニット１１０側に光を反射するか否かを切り替える。
【００４４】
投写ユニット１１０は、ＤＭＤ９０に設けられる微小ミラーで反射された光（映像光）を投写面上に投写する。
【００４５】
なお、投写型映像表示装置１００は、必要なレンズ群（不図示）を有していてもよい。また、投写型映像表示装置１００は、必要なミラー群（不図示）を有していてもよい。
【００４６】
第１実施形態では、光源装置は、少なくとも光源１０Ｂ、カラーホイール２０及びリフレクタ３０によって構成される。但し、光源装置は、光源１０Ｂ、カラーホイール２０及びリフレクタ３０以外にも、ロッドインテグレータ７０や折り返しミラー８０などを含んでもよい。
【００４７】
（作用及び効果）
第１実施形態では、カラーホイール２０は、リフレクタ３０の側面視において、リフレクタ３０の頂点から所定取り出し方向Ｙに沿って回転面２０Ａが設けられるように配置される。また、光源１０Ｂは、リフレクタ３０の側面視において、所定取り出し方向Ｙに直交する方向からリフレクタ３０の焦点位置に励起光（青成分光Ｂ）を照射する。
【００４８】
このように、回転面２０Ａがリフレクタ３０の頂点から所定取出し方向に沿って設けられるため、回転面２０Ａよりもリフレクタ３０の頂点側に光（励起光や発光光）が回り込むことがない。従って、リフレクタ３０及びカラーホイール２０を組み合わせる場合に、発光光を効率よく取り出すことができる。
【００４９】
［変更例１］
以下において、第１実施形態の変更例１について説明する。以下においては、第１実施形態に対する相違点について主として説明する。
【００５０】
具体的には、第１実施形態では、青成分光Ｂを光源１０Ｂの反対側に出射する透過型回転体について例示した。これに対して、変更例１では、青成分光Ｂを光源１０Ｂ側に反射する反射型回転体について例示した。
【００５１】
具体的には、図６に示すように、カラーホイール２０に代えて、カラーホイール１２０が用いられる。
【００５２】
カラーホイール１２０は、カラーホイール２０と同様に、励起光（青成分光Ｂ）の光軸に沿って延びる回転軸Ｘを中心として回転するように構成される。カラーホイール１２０は、回転面１２０Ａを有する。
【００５３】
変更例１では、カラーホイール１２０は、青成分光Ｂを光源１０Ｂ側に反射する反射型回転体の一例である。
【００５４】
具体的には、図７に示すように、回転面１２０Ａは、緑領域膜１２１Ｇと、青領域１２１Ｂと、反射ミラー膜１２２とを有する。
【００５５】
緑領域膜１２１Ｇ及び青領域１２１Ｂは、第１実施形態で説明した緑領域膜２１Ｇ及び青領域２１Ｂと同様である。反射ミラー膜１２２は、青成分光Ｂ（励起光）を少なくとも反射する膜である。
【００５６】
図６に戻って、投写型映像表示装置１００は、ミラー４０〜ミラー６０に代えて、ミラー１３０と、１／４λ板１４０と、ミラー１５０と、ミラー１６０とを有する。なお、変更例１では、光源１０Ｂは、第１偏光成分（例えば、Ｐ偏光成分）の励起光（青成分光Ｂ）を出射する。
【００５７】
ミラー１３０は、第１偏光成分（例えば、Ｐ偏光成分）を有する光を透過して、第２偏光成分（例えば、Ｓ偏光成分）を有する光を反射するＰＢＳミラーである。
【００５８】
１／４λ板１４０は、１／４λ板１４０に入射する光の偏光方向を４５°回転する。具体的には、１／４λ板１４０は、光源１０Ｂから出射される励起光（青成分光Ｂ）の偏光方向を４５°回転する。また、１／４λ板１４０は、カラーホイール１２０で反射された青成分光Ｂ（励起光）の偏光方向を４５°回転する。このように、１／４λ板１４０は、励起光（青成分光Ｂ）を２回透過することによって、第１偏光成分の励起光（青成分光Ｂ）を第２偏光成分の青成分光Ｂ（励起光）に変換する。
【００５９】
ミラー１５０は、ミラー１３０で反射された青成分光Ｂ（励起光）を反射して、光源１０Ｒから出射された赤成分光Ｒを透過するダイクロイックミラーである。
【００６０】
ミラー１６０は、リフレクタ３０で反射された発光光（緑成分光Ｇ）を反射して、ミラー１５０で合成された青成分光Ｂ及び赤成分光Ｒを透過するダイクロイックミラーである。
【００６１】
［変更例２］
以下において、第１実施形態の変更例２について説明する。以下においては、第１実施形態に対する相違点について主として説明する。
【００６２】
具体的には、変更例２では、光源１０Ｂとして、２つの光源が設けられるケースについて説明する。
【００６３】
図８に示すように、投写型映像表示装置１００は、光源１０Ｂとして、光源１０Ｂ１及び光源１０Ｂ２を有する。光源１０Ｂ１及び光源１０Ｂ２は、光源１０Ｂと同様に、励起光（青成分光Ｂ）を出射する。
【００６４】
具体的には、光源１０Ｂ１は、第１偏光成分（例えば、Ｐ偏光成分）の青色成分光Ｂ１を出射する。光源１０Ｂ１は、リフレクタ３０の側面視において、所定取り出し方向Ｙに直交する方向（回転軸Ｘの延長線方向）の一方からリフレクタ３０の焦点位置に励起光（青色成分光Ｂ１）を照射する。具体的には、光源１０Ｂ１は、励起光用切り欠き３２Ａを介して、リフレクタ３０の焦点位置に励起光（青色成分光Ｂ１）を照射する。
【００６５】
光源１０Ｂ２は、第１偏光成分の青色成分光Ｂ２を出射する。光源１０Ｂ２は、リフレクタ３０の側面視において、所定取り出し方向Ｙに直交する方向（回転軸Ｘの延長線方向）の他方からリフレクタ３０の焦点位置に励起光（青色成分光Ｂ２）を照射する。具体的には、光源１０Ｂ２は、励起光用切り欠き３２Ｂを介して、リフレクタ３０の焦点位置に励起光（青色成分光Ｂ２）を照射する。
【００６６】
投写型映像表示装置１００は、ミラー４０〜ミラー６０に代えて、ミラー２３０１と、ミラー２３０２と、１／２λ板２４０１と、１／２λ板２４０２と、ミラー２５０と、ミラー２６０と、ミラー２７０とを有する。
【００６７】
ミラー２３０１は、第１偏光成分（例えば、Ｐ偏光成分）を有する光を透過して、第２偏光成分（例えば、Ｓ偏光成分）を有する光を反射するＰＢＳミラーである。
【００６８】
ミラー２３０２は、第１偏光成分（例えば、Ｐ偏光成分）を有する光を透過して、第２偏光成分（例えば、Ｓ偏光成分）を有する光を反射するＰＢＳミラーである。
【００６９】
１／２λ板２４０１は、１／２λ板２４０１に入射する光の偏光方向を９０°回転する。同様に、１／２λ板２４０２は、１／２λ板２４０２に入射する光の偏光方向を９０°回転する。
【００７０】
第１に、光源１０Ｂ１から出射される励起光（青色成分光Ｂ１）の偏光方向は、１／２λ板２４０２によって９０°回転する。すなわち、光源１０Ｂ１から出射される第１偏光成分の励起光（青色成分光Ｂ１）、すなわち、カラーホイール２０を透過する第１偏光成分の励起光（青色成分光Ｂ１）は、１／２λ板２４０２によって第２成分光の励起光（青色成分光Ｂ１）に変換される。
【００７１】
これによって、第２成分光の励起光（青色成分光Ｂ１）は、ミラー２３０２で反射されて、ミラー２７０側に導かれる。
【００７２】
第２に、光源１０Ｂ２から出射される励起光（青色成分光Ｂ２）の偏光方向は、１／２λ板２４０２によって９０°回転する。すなわち、光源１０Ｂ２から出射される第１偏光成分の励起光（青色成分光Ｂ２）は、１／２λ板２４０２によって第２成分光の励起光（青色成分光Ｂ２）に変換される。
【００７３】
これによって、第２成分光の励起光（青色成分光Ｂ２）は、ミラー２３０１で反射されて、ミラー２５０（１／２λ板２４０１）側に導かれる。
【００７４】
第３に、第２成分光の励起光（青色成分光Ｂ２）の偏光方向は、１／２λ板２４０１によって９０°回転する。すなわち、光源１０Ｂ２から出射される第２偏光成分の励起光（青色成分光Ｂ２）、すなわち、カラーホイール２０を透過する第２偏光成分の励起光（青色成分光Ｂ２）は、１／２λ板２４０１によって第１成分光の励起光（青色成分光Ｂ２）に変換される。
【００７５】
ミラー２５０は、ミラー２３０１で反射された青色成分光Ｂ２（励起光）を反射して、光源１０Ｒから出射された赤成分光Ｒを透過するダイクロイックミラーである。
【００７６】
ミラー２６０は、リフレクタ３０で反射された発光光（緑成分光Ｇ）を反射して、ミラー１５０で合成された青色成分光Ｂ２及び赤成分光Ｒを透過するダイクロイックミラーである。
【００７７】
ミラー２７０は、ミラー２６０で合成された赤成分光Ｒ及び緑成分光Ｇを透過して、青成分光Ｂを反射するダイクロイック膜を有する。また、ミラー２７０は、第１偏光成分（例えば、Ｐ偏光成分）を有する光を透過して、第２偏光成分（例えば、Ｓ偏光成分）を有する光を反射するＰＢＳ膜を有する。従って、ミラー２７０は、ミラー２３０２で反射された第２偏光成分の青色成分光Ｂ１を反射して、ミラー２６０を透過した第１成分光の青色成分光Ｂ２（励起光）を透過する。
【００７８】
このように、リフレクタ３０の焦点位置（発光体）に対して、２方向から青成分光Ｂが照射されるため、発光体の利用効率が向上する。
【００７９】
［変更例３］
以下において、第１実施形態の変更例３について説明する。以下においては、第１実施形態に対する相違点について主として説明する。
【００８０】
具体的には、第１実施形態では、発光光が緑成分光Ｇのみであるケースについて例示した。これに対して、変更例３では、発光光が緑成分光Ｇ及び赤成分光Ｒであるケースについて例示する。
【００８１】
具体的には、図９に示すように、投写型映像表示装置１００は、カラーホイール２０に代えて、カラーホイール３２０を有する。なお、変更例２では、光源１０Ｒが不要であることに留意すべきである。
【００８２】
カラーホイール３２０は、カラーホイール２０と同様に、励起光（青成分光Ｂ）の光軸に沿って延びる回転軸Ｘを中心として回転するように構成される。カラーホイール３２０は、回転面３２０Ａを有する。
【００８３】
変更例１では、カラーホイール３２０は、青成分光Ｂを光源１０Ｂ側の反射側に透過する透過型回転体の一例である。
【００８４】
具体的には、図１０に示すように、回転面３２０Ａは、赤領域膜３２１Ｒと、緑領域膜３２１Ｇと、青領域３２１Ｂとを有する。緑領域膜３２１Ｇ及び青領域３２１Ｂは、緑領域膜２１Ｇ及び青領域２１Ｂと同様である。
【００８５】
赤領域膜３２１Ｒは、光源１０Ｂから出射される励起光（青成分光Ｂ）に応じて赤成分光Ｒ（発光光）を発光する発光体Ｒを有する。発光体Ｒは、蛍光体或いは燐光体である。
【００８６】
赤領域膜３２１Ｒは、回転軸Ｘを中心とする円環領域のうち、所定の中心角度θＲを有する領域である。なお、赤領域膜３２１Ｒは、カラーホイール３２０の回転中において、励起光（青成分光Ｂ）が照射されるべき領域であることは勿論である。また、赤領域膜３２１Ｒは、カラーホイール３２０の回転中において、リフレクタ３０の焦点位置を通るべき領域である。
【００８７】
図９に戻って、投写型映像表示装置１００は、ミラー４０〜ミラー６０に代えて、ミラー３３０と、ミラー３４０とを有する。
【００８８】
ミラー３３０は、リフレクタ３０で反射された発光光（赤成分光Ｒ及び緑成分光Ｇ）を反射する反射ミラーである。
【００８９】
ミラー３４０は、ミラー４０で反射された青成分光Ｂ（励起光）を反射して、ミラー３３０で反射された赤成分光Ｒ及び緑成分光Ｇを透過するダイクロイックミラーである。
【００９０】
このように、発光光が赤成分光Ｒ及び緑成分光Ｇであるケースにおいても、第１実施形態と同様に、発光光を効率よく取り出すことができる。
【００９１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９２】
実施形態では、光変調素子として、ＤＭＤ９０が例示されているが、実施形態は、これに限定されるものではない。光変調素子は、１つの液晶パネル或いは３つの液晶パネル（赤液晶パネル、緑液晶パネル及び青液晶パネル）であってもよい。液晶パネルは、透過型であってもよく、反射型であってもよい。
【００９３】
実施形態では、励起光として青成分光Ｂを用いるケースについて説明した。しかしながら、実施形態は、これに限定されるものではない。例えば、励起光として紫外成分光を用いてもよい。このようなケースでは、紫外成分光に応じて青成分光Ｂを出射する発光体が用いられる。
【符号の説明】
【００９４】
１０…光源、２０…カラーホイール、２０Ａ…回転面、３０…リフレクタ、３０Ａ…反射面、３１…回転体用切り欠き、３２…励起光用切り欠き、４０〜６０…ミラー、７０…ロッドインテグレータ、８０…折り返しミラー、９０…ＤＭＤ、１００…投写型映像表示装置、１１０…投写ユニット、１２０…カラーホイール、１２０Ａ…回転面、１３０…ミラー、１４０…１／４λ板、１５０〜１６０…ミラー、２３０…ミラー、２４０…１／２λ板、２５０〜２７０…ミラー、３２０…カラーホイール、３２０Ａ…回転面３２０Ａ、３３０〜３４０…ミラー
【図１】
2012220932.tif 000003
【図２】
2012220932.tif 000004
【図３】
2012220932.tif 000005
【図４】
2012220932.tif 000006
【図５】
2012220932.tif 000007
【図６】
2012220932.tif 000008
【図７】
2012220932.tif 000009
【図８】
2012220932.tif 000010
【図９】
2012220932.tif 000011
【図１０】
2012220932.tif 000012